(57)【要約】【課題】床面上で自立させることができて、一人の作業者でパネルの設置作業及び撤去作業が簡単に行えると共に、自立させた状態で床面上を移動でき、パネルの設置作業及び撤去作業が能率良く行える間仕切りパネルを提供する。【解決手段】パネル本体２の下端面側には両端部に夫々、床面Ｆに接地する高さ調整可能な脚体３とキャスター７とを設け、その両端部間には、キャスター４，４を両端部に備えた水平バー５をパネル本体２と平行に納まる収納位置とパネル本体２に直交する転倒防止位置とにわたって水平回転可能に枢着してなるパネル転倒防止手段６を設け、パネル本体２の上端面側には、昇降可能な突っ張り板８を天井面Ｓに圧接させるようにした突っ張り手段９を設ける。【選択図】図４
2005299100.tif 000002
【特許請求の範囲】
【請求項１】
パネル本体の下端面側には両端部に夫々、床面に接地する高さ調整可能な脚体と床面に対し転動又は摺動可能な第１支持体とを設け、その両端部間には、床面に対し転動又は摺動可能な第２支持体を両端部に備えた水平バーをパネル本体と平行に納まる収納位置とパネル本体に直交する転倒防止位置とにわたって水平回転可能に枢着してなるパネル転倒防止手段を設け、パネル本体の上端面側には、昇降可能な突っ張り板を天井面に対し圧接させるようにした突っ張り手段を設けてなる間仕切りパネル。
【請求項２】
パネル本体の両側面下端部に夫々幅木を取り付けるようにしてなる請求項１に記載の間仕切りパネル。
【請求項３】
突っ張り手段の突っ張り板には、パネル本体の両側面上端部と天井面との隙間を覆う化粧カバーを設けてなる請求項１又は２に記載の間仕切りパネル。
【請求項４】
突っ張り手段は、両端部側に左右逆ネジ部を形成したロッドをパネル本体内に軸支し、このロッドの両ネジ部にナット部材を螺嵌すると共に両ナット部材を回転不能で軸方向移動可能にパネル本体に支持し、ロッドの上方に略ハの字状に配置した一対のリンクの下端部を両ナット部材に枢着すると共に両リンクの上端部を取付基板の両端部に夫々枢着し、この取付基板にバネを介して突っ張り板を上側に突出付勢するように取り付け、しかして前記ロッドを正逆回転させる回転操作部をパネル本体の外側から回転操作することにより突っ張り板を昇降させるようにしてなる請求項１〜３の何れかに記載の間仕切りパネル。
【請求項５】
各幅木には内側面の両端部に半円状のバネ板を設け、両バネ板をパネル本体の下端面に設けた両脚体に夫々弾性係嵌させることによって、幅木を取り付けるようにしてなる請求項１〜４の何れかに記載の間仕切りパネル。
【請求項６】
化粧カバーは、天板と両側板とで断面下向きコ字状に形成されてなるもので、天板を突っ張り手段の突っ張り板に載設した状態でパネル本体の上端部に被嵌するようにしてなる請求項１〜５の何れかに記載の間仕切りパネル。
【発明の詳細な説明】
【技術分野】
【０００１】
本発明は間仕切りパネルに関するものである。
【背景技術】
【０００２】
従来の間仕切りパネルとして、特許公報等の公知文献を具体的に挙げることが出来ないが、建物の室内、特に広間を仕切る間仕切りパネルは、パネル本体の上下端面側に係止杆を出し入れ自在に設け、パンタグラフ等の伸縮装置によって係止杆を上下に突出させ、これらを天井又は床面に圧接させて、パネル本体を建物室内の所定位置に係止固定するようになっている。
【発明の開示】
【発明が解決しようとする課題】
【０００３】
従来の間仕切りパネルによると、パネルを建物室内の所定位置に設置するのに、少なくとも二人の作業員が必要であった。即ち、パネルは自立できる構造になっていないから、一人の作業者がパネルを倒れないように所定位置に直立状態に保持しておき、もう一人の作業者によって係止杆の突出操作を行うようになっている。また、こうして設置したパネルを取り外して撤去する場合も、一人では作業ができないから、設置時と同じく少なくとも二人の作業者が必要となる。そしてまた、パネルを建物室内の所定位置まで移動させてくるのにも非常な労力を要する。
【０００４】
本発明は、上記の課題に鑑み、床面上で自立させることができて、一人の作業者でパネルの設置作業及び撤去作業が簡単に行えると共に、自立させた状態で床面上を移動できて、パネルの設置作業及び撤去作業が能率良く行える間仕切りパネルを提供することを目的とする。
【課題を解決するための手段】
【０００５】
上記課題を解決するための手段を、後述する実施形態の参照符号を付して説明すると、請求項１に係る発明の間仕切りパネルは、パネル本体２の下端面側には両端部に夫々、床面Ｆに接地する高さ調整可能な脚体３と床面Ｆに対し転動又は摺動可能な第１支持体７とを設け、その両端部間には、床面Ｆに対し転動又は摺動可能な第２支持体４，４を両端部に備えた水平バー５をパネル本体２と平行に納まる収納位置とパネル本体２に直交する転倒防止位置とにわたって水平回転可能に枢着してなるパネル転倒防止手段６を設け、パネル本体２の上端面側には、昇降可能な突っ張り板８を天井面Ｓに対し圧接させるようにした突っ張り手段９を設けてなることを特徴とする。
【０００６】
請求項２は、請求項１に記載の間仕切りパネルにおいて、パネル本体２の両側面下端部に夫々幅木１０を取り付けるようにしてなることを特徴とする。
【０００７】
請求項３は、請求項１又は２に記載の間仕切りパネルにおいて、突っ張り手段９の突っ張り板８にパネル本体２の両側面上端部と天井面Ｓとの隙間を覆う化粧カバー１１を設けてなることを特徴とする。
【０００８】
請求項４は、請求項１〜３の何れかに記載の間仕切りパネルにおいて、突っ張り手段９は、両端部側に左右逆ネジ部１６ａ，１６ｂを形成したロッド１５をパネル本体２内に軸支し、このロッド１５の両ネジ部１６ａ，１６ｂにナット部材１８ａ，１８ｂを螺嵌すると共に両ナット部材１８ａ，１８ｂを回転不能で軸方向移動可能にパネル本体２に支持し、ロッド１５の上方に略ハの字状に配置した一対のリンク２１ａ，２１ｂの下端部を両ナット部材１８ａ，１８ｂに枢着すると共に両リンク２１ａ，２１ｂの上端部を取付基板２２の両端部に夫々枢着し、この取付基板２２にバネ２４を介して突っ張り板８を上側に突出付勢するように取り付け、しかして前記ロッド１５を正逆回転させる回転操作部２９又は３０をパネル本体２の外側から回転操作することにより突っ張り板８を昇降させるようにしてなることを特徴とする。
【０００９】
請求項５は、請求項１〜４の何れかに記載の間仕切りパネルにおいて、各幅木１０には内側面の両端部に半円状のバネ板３１を設け、両バネ板３１，３１をパネル本体２の下端面に設けた両脚体３，３に夫々弾性係嵌させることによって、幅木１０を取り付けるようにしてなることを特徴とする。
【００１０】
請求項６は、請求項１〜５の何れかに記載の間仕切りパネルにおい、化粧カバー１１は、天板１１ａと両側板１１ｂ，１１ｂとで断面下向きコ字状に形成されてなるもので、天板１１ａを突っ張り手段９の突っ張り板８に載設した状態でパネル本体２の上端部に被嵌するようにしてなることを特徴とする。
【発明の効果】
【００１１】
上記解決手段による発明の効果を、後述する実施形態の参照符号を付して説明すると、請求項１に係る発明によれば、パネル転倒防止手段６の水平バー５を回転させて転倒防止位置にセットすることにより、パネル本体２が自立状態となるので、パネル１は一人の作業者で床面Ｆ上を自由に移動させることができ、そして間仕切りパネル１として所定位置に設置する時には、移動時と同様にパネル転倒防止手段６の水平バー５を転倒防止位置にセットすることによって、パネル本体２を自立させることができるから、脚体３の上げ下げ操作、突っ張り板８の昇降操作、その他の付随操作を一人の作業者で全て行うことができる。従って、間仕切りパネル１の設置作業及び撤去作業を能率良く実施できる。
更には、従来の間仕切りパネルは、上下レールを有し、上吊り式・下荷重式が主流であった。これでは上下レールを天井・床にレールを固定する必要があったため、自由に取付場所を動かすことができない。これに対し、本発明によれば、上下レールが無いので自由に取付場所を動かすことができる。
【００１２】
請求項２に係る発明によれば、パネル本体２の両側面下端部に夫々幅木１０を取り付けることにより、床面Ｆとの間の隙間を塞ぐと共に、脚体３、パネル転倒防止手段６及び支持体７を隠蔽して、パネル本体２下端部の見栄え、体裁を良くすることができる。
【００１３】
請求項３に係る発明によれば、天井面Ｓとの間の隙間を塞ぐと共に、突っ張り手段９を隠蔽して、パネル本体２上端部の見栄え、体裁を良くすることができる。
【００１４】
請求項４に係る発明によれば、回転操作部２９又は３０をパネル本体２の外側から回転操作するだけで、突っ張り板８を簡単に昇降させると共に、天井面Ｓに対し圧接させることができ、またバネ２４によって突っ張り板８が天井面Ｓに弾接するから、天井面Ｓが多少凹凸状を呈していても、突っ張り板８を確実に天井面Ｓに圧接できる。
【００１５】
請求項５に係る発明によれば、幅木１０を簡単にパネル本体２に取り付けることができる。
【００１６】
請求項６に係る発明によれば、化粧カバー１１を突っ張り板８とは別の材料で形成できるから、製作にあたって、突っ張り板８に対する化粧カバー１１の取付けを簡単容易に行うことができる。
【発明を実施するための最良の形態】
【００１７】
以下に本発明の好適な実施形態を図面に基づいて説明すると、図１は本発明に係る間仕切りパネル３枚を使用状態で示す外観斜視図、図２は同使用状態を示す正面図で、左側のパネルは可動状態にある時の正面図、中央のパネルは設置直後の状態を示す正面図、右側のパネルは固定時の状態を示す正面図である。図３は図２の３枚のパネルのうち左側のパネルの拡大図、図４は中央のパネルの拡大図、図５は右側のパネルの拡大図、図６の(a)
はパネルが可動状態にある時に支持体が床面に接地している状態の側面図、(b) はパネルが固定状態にある時に脚体が床面に接地している状態の側面図、図７の(a) は脚体の拡大詳細側面図、(b) は脚体の拡大詳細縦断面図、(c) は脚体の底面図、図８は幅木を半円状のバネ板によって脚体に取り付けている状態を示す底面図である。
【００１８】
これらの図において、１は間仕切りパネルで、パネル本体２を有し、このパネル本体２の下端面側にはその両端部に、床面Ｆに接地する高さ調整可能な脚体３，３が設けられ、両脚体３，３間には、床面Ｆに対し転動可能な第２支持体としてのキャスター４，４を両端部に備えた水平バー５をパネル本体２と平行に納まる収納位置とパネル本体２に直交する転倒防止位置とにわたって水平回転可能に枢着してなるパネル転倒防止手段６が設けられ、またパネル本体２の下端面側には両脚体３，３に夫々隣接した定位置に、第２支持体と同様に床面Ｆに対して転動可能な第１支持体としてのキャスター７が設けられている。パネル本体２の上端面側には、昇降可能な突っ張り板８を天井面Ｓに対し圧接させるようにした突っ張り手段９が設けられている。尚、各キャスター４，７にはストッパーが付いている。
【００１９】
またパネル本体２の両側面下端部に夫々幅木１０を取り付けられるようになっている。この幅木１０は、床面Ｆとの間の隙間を塞ぐと共に、脚体３、パネル転倒防止手段６及び支持体７を隠蔽し、パネル本体２下端部の外観上の体裁を良くすることができる。また、突っ張り手段９の突っ張り板８には、パネル本体２の両側面上端部と天井面Ｓとの隙間を覆うと共に、突っ張り手段９を隠蔽する化粧カバー１１が設けられ、この化粧カバー１１は、天板１１ａと両側板１１ｂ，１１ｂとによって断面下向きコ字状に形成されてなるもので、天板１１ａを突っ張り手段９の突っ張り板８に載設した状態でパネル本体２の上端部に被嵌されるようになっている。この化粧カバー１１もパネル本体２上端部の見栄え、体裁を良くすることができる。
【００２０】
各脚体３は、図７に示すように、短円柱状の本体部３ａと、この本体部３ａと同軸一体に設けられて上方に突出するボルト３ｂと、本体部３ａの下端部に回転自在に連結された円盤状の基部３ｃと、この基部３ｃと一体的に設けられた基底部３ｄとからなるもので、ボルト３ｂを図３に仮想線で示すようにパネル本体２側に設けられた固定ナット１２にねじ込むことによってパネル本体２の下端部に取り付けられる。本体部３ａ及び基部３ｃは夫々例えばナイロンで形成され、また基底部３ｄは、ポリウレタンで形成されて下面部が凹凸状を呈し、床面Ｆ上で滑り難くなっている。また本体部３ａの外周面には回転操作がし易いようにローレットが切られている。従って、この本体部３ａを回すことによって、簡単容易に高さの調整を行うことができる。
【００２１】
パネル転倒防止手段６は、両端部にキャスター４，４を備えた水平バー５を、図４に示すようにパネル本体２と平行に納まる収納位置と、図３に示すようにパネル本体２に直交する転倒防止位置とにわたって水平回転可能にパネル本体２に枢着してなるものである。水平バー５は、図３、図４及び図９に示すように、断面上向きコ字状に形成されていて、パネル本体２の下端面に取り付けられる帯板状取付基板１３の中央部に枢軸１４によって枢着される。図９の(a) は取付基板１３に枢着された水平バー５が図４と同様な収納位置にある状態の正面図、(b) は同状態の底面図、(c) は同状態の端面図である。また図９の(d) は取付基板１３に枢着された水平バー５が図３と同様な転倒防止位置にある状態の正面図、(e) はその底面図、(f) はその端面図である。
【００２２】
パネル本体２の下端面に脚体３と隣接した定位置に設けられるキャスター７は、上記帯板状取付基板１３の両端部に取り付けられている。尚、このキャスター７は、帯板状取付基板１３をパネル本体２の下端面に取り付ける際にこの取付基板１３と一緒にパネル本体２に対しビス４５止めされる。
【００２３】
突っ張り手段９は、図３〜図５、図１０〜図１３から分かるように、両端部側に左右逆ネジ部１６ａ，１６ｂを形成したロッド１５を、パネル本体２内に取り付けられる取付枠１７に軸受４６，４６により軸架し、このロッド１５の両ネジ部１６ａ，１６ｂにナット部材１８ａ，１８ｂを螺嵌すると共に、両ナット部材１８ａ，１８ｂに夫々突設したガイドピン１９ａ，１９ｂを取付枠１７の水平ガイド溝２０ａ，２０ｂにスライド可能に係入させることによって両ナット部材１８ａ，１８ｂを回転不能で且つ軸方向移動可能にパネル本体２に支持し、そしてロッド１５の上方に略ハの字状に配置した一対のリンク２１ａ，２１ｂの下端部を前記ガイドピン１９ａ，１９ｂを介して両ナット部材１８ａ，１８ｂに枢着すると共に、両リンク２１ａ，２１ｂの上端部を取付基板２２の両端部に枢支ピン２３ａ，２３ｂによって夫々枢着し、この取付基板２２の両端部に配設したコイルバネ２４，２４を介して、突っ張り板８を上側に突出付勢させるようにしてなるものである。
【００２４】
上記コイルバネ２４，２４は、突っ張り板８の下面中央寄り所定位置に突設された一対の支持ピン２５，２５に嵌装され、両支持ピン２５，２５は、取付基板２２の両端部に貫設されたピン孔２６，２６（図１２の(c) 参照）に昇降自在に嵌挿されている。そして、図１０〜図１３から分かるように、ロッド１５の一端部に傘歯車２７が同軸に固設され、この傘歯車２７に噛合する傘歯車２８が取付枠１７に回転自在に支持され、この傘歯車２８のハブ２８ａの端面には例えば六角レンチが係合する係合凹部２９（回転操作部）が設けてあって、この係合凹部２９は、上記パネル本体２の上端部正面に開口し、パネル本体２の正面側から回転操作することができる。また、傘歯車２７が設けられたロッド１５の端面にも上記同様に六角レンチが係合する係合凹部３０（回転操作部）が設けてあって、パネル本体２の上端部側面に開口し、パネル本体２の側面側から回転操作することができる。
【００２５】
図１０の(a) ，(b) 及び図１２の(a) ，(b) は、上記突っ張り手段９の突っ張り板８が下降限位置にある状態を示す。この状態から、パネル本体２の正面側にある係合凹部２９（回転操作部）又は側面側にある係合凹部３０（回転操作部）に六角レンチを係合し、ロッド１５を一方向に回転させて、両ナット部材１８ａ，１８ｂを互いに近づく方向に移動させると、ハの字状の両リンク２１ａ，２１ｂが起き上がって、取付基板２２が上昇し、これに伴って突っ張り板８が上昇し、図１０の(c) ，(d) 及び図１２の(c) ，(d) に示すような状態となる。この時、突っ張り板８が天井面Ｓに当接すると、この突っ張り板８は天井面Ｓに対しコイルバネ２４，２４で弾性的に押し付けられることになる。
【００２６】
化粧カバー１１は、パネル本体２の上端部と天井面Ｓとの隙間を覆うと同時にパネル本体２の上端から突出する突っ張り手段９を覆うもので、図１２の(a) 〜(d) の仮想線で示すように、天板１１ａと両側板１１ｂ，１１ｂとにより断面下向きコ字状に形成されて、天板１１ａを突っ張り手段９の突っ張り板８に載置固定した状態でパネル本体２の上端部に被嵌される。この化粧カバー１１は、突っ張り板８の昇降に従って昇降するが、パネル本体２の正面側にある係合凹部２９（回転操作部）を覆うことがないように、突っ張り板８が下降限位置にある時、側板１１ｂの下端が係合凹部２９の僅かに上位に位置するように設けられる。
【００２７】
図１３に示すように、各幅木１０には内側面の両端部に半円状のバネ板３１，３１が設けられていて、両バネ板３１，３１をパネル本体２の下端面に設けた両脚体３，３に夫々弾性係嵌させることによって、幅木１０を取り付けるようにしている。この幅木１０は、パネル本体２の両側面下端部、つまり正面側側面下端部と背面側側面下端部とに取り付けられるもので、図１３の(a) 〜(c) はパネル本体２の例えば正面側側面の下端部に取り付けられる幅木１０を示す平面図、正面図及び端面図で、この幅木１０には、半円状のバネ板３１をパネル本体２の脚体３に対し内側から係嵌させるように取り付けており、また図１３の(d) 〜(f) はパネル本体２の背面側側面の下端部に取り付けられる幅木１０を示す平面図、正面図及び端面図で、この幅木１０には、半円状バネ板３１を脚体３に対し外側から係嵌させるように取り付けている。
【００２８】
図８にはパネル本体２の下端部に取り付けられる両幅木１０をパネル本体２の脚体３に係嵌して取り付けた状態を示す平面図である。即ち、一方のパネル本体２の一端部に設けた半円状バネ板３１をパネル本体２の脚体３に対し内側から係嵌させ、他方のパネル本体２の一端部に設けた半円状バネ板３１を同じ脚体３に対し外側から係嵌させるようにしたたものである。このようにすれば、両パネル本体２，２から対向突出する半円状バネ板３１，３１が同じレベルに設けてあっても、同じ脚体３に係嵌させることができる。また、このようにパネル本体２側の脚体３に係嵌可能な半円状のバネ板３１によれば、幅木１０を簡単にパネル本体２に取り付けることができる。
【００２９】
上記のように構成される間仕切りパネル１の使用方法について説明すると、このパネル１を床面Ｆにて移動させる時は、図２の左側に示すパネル１あるいは図３に示すパネル１のように、パネル転倒防止手段６の水平バー５を収納位置から９０度回転させてパネル本体２と直交する転倒防止位置にセットすることにより、、パネル本体２は、転倒を防止されて自立状態となり、しかして各脚体３を回して床面Ｆから浮かした状態とすれば、自由に移動させることができる。この時、パネル本体２は、定位置にある第１支持体としての一対のキャスター７，７と、転倒防止位置にセットされた水平バー５の両端部にある第２支持体としての一対のキャスター４，４との４点で床面Ｆ上に支持された状態となる。
【００３０】
間仕切りパネル１として設置する時には、パネル本体２を上記のように４点支持された自立状態のまま所定の間仕切り位置まで移動させ、その位置で、各脚体３を第１及び第２支持体としてのキャスター４，７と同じ接地レベルまで下ろして床面Ｆに接地させた後、パネル本体２の正面側にある係合凹部２９（回転操作部）又は側面側にある係合凹部３０（回転操作部）に六角レンチを係合して、ロッド１５を一方向に回転させることにより、突っ張り手段９の突っ張り板８を天井面Ｓに軽く当接させて仮設置の状態とする。
【００３１】
上記のような仮設置の状態から、ロッド１５を更に回転させることによって、突っ張り板８をコイルバネ２４の圧縮力により天井面Ｓに対し圧接させた後、それまで転倒防止位置にあったパネル転倒防止手段６の水平バー５を９０度回転させて収納位置にセットさせ、図２の中央部に示すパネル１あるいは図４に示すパネル１の状態とする。この状態から、各脚体３を床面Ｆに接地させたまま回すことにより、パネル本体２を突っ張り手段９に抗して押し上げ、第１及び第２支持体としてのキャスター４，７を床面Ｆから浮かし、これによってパネル本体２を固定状態とする。この固定状態で、パネル本体２の両側面下端部に幅木１０を前記した要領で取り付け、図２の右側に示すパネル１あるいは図５に示すパネル１の状態とする。このようなパネル本体２の固定作業及び幅木１０の取付作業も一人の作業者で楽々行うことができる。
【００３２】
尚、各脚体３を床面Ｆに接地させたまま回してパネル本体２を押し上げる時には、各脚体３の本体部３ａが基部３ｃ及び基底部３ｄに対し回転自在となっているため、本体部３ａを回転させるだけで、パネル本体２を容易に上げることができ、本体部３ａの回転操作も楽に行える。
【００３３】
以上は間仕切りパネル１を設置する時の作業手順であるが、設置したパネル１を撤去する時は、上記手順のほぼ逆の手順を行えばよい。
【００３４】
上述のように、本発明に係る間仕切りパネル１によれば、パネル転倒防止手段６の水平バー５を回転操作して転倒防止位置にセットすることによって、パネル本体２が自立状態となるから、パネル１は一人の作業者で床面Ｆ上を自由に移動させることができ、そして間仕切りパネル１として設置する時には、移動時と同様にパネル転倒防止手段６の水平バー５を転倒防止位置にセットすることで、パネル本体２を自立させることができるから、脚体３の上げ下げ操作、突っ張り板８の昇降操作、その他の付随操作を一人の作業者によって行うことができ、従って間仕切りパネル１の設置作業を能率良く実施することができる。
【００３５】
この実施形態においては、床面Ｆに対し転動又は摺動可能な第１支持体及び第２支持体として、床面Ｆに対し転動可能な夫々キャスター４，７を用いたが、これに代えて、床面Ｆに対し摺動可能な例えばプラスチック製の球状体を使用してもよい。
【００３６】
また、この実施形態において、突っ張り手段９のロッド１５を正逆回転させる回転操作部として、パネル本体２の正面側にある係合凹部２９とパネル本体２の側面側にある係合凹部３０とを設けているが、間仕切りパネル１を所定位置に設置する時に、パネル１の側面側にレンチを回転操作する作業スペースがある場合は、パネル本体２側面側の係合凹部３０を使用すればよいし、パネル１の側面側にレンチを回転操作する作業スペースが無い場合には、パネル本体２正面側の係合凹部２９を使用すればよく、何れか一方の回転操作部を使用してロッド１５を回転操作できるようにしている。
【００３７】
この実施形態においては、化粧カバー１１を、天板１１ａと両側板１１ｂ，１１ｂとで断面下向きコ字状に形成し、天板１１ａを突っ張り手段９の突っ張り板８に載設した状態でパネル本体２の上端部に被嵌するようにしているが、突っ張り手段９の突っ張り板８と化粧カバー１１とを一体に形成してもよい。例えば、突っ張り板８の両側端縁から化粧カバー１１の両側板１１ｂ，１１ｂを一体に突設するようにしてもよい。
【００３８】
また、実施形態の間仕切りパネル１では、図１及び図１４に示すように、各パネル本体２の端面には凹溝３２が形成されていて、設置される間仕切りパネル１，１の端面同士を突き合わせた時に両パネル本体２，２の対向端面間にクッション材３３を介在させて、パネル１，１同士が当接する際の衝撃を緩和し、更には該クッション材３３を介在させることによってパネル１，１間の隙間が塞がれるため明かり漏れの防止の役割をも果たすことができる。
【図面の簡単な説明】
【００３９】
【図１】本発明に係る間仕切りパネル３枚を使用状態で示す外観斜視図である。
【図２】同使用状態を示す正面図で、左側のパネルは可動状態にある時の正面図、中央のパネルは設置直後の状態を示す正面図、右側のパネルは固定時の状態を示す正面図である。
【図３】図２の３枚のパネルのうち左側のパネルの拡大図である。
【図４】図２の３枚のパネルのうち中央のパネルの拡大図である。
【図５】図２の３枚のパネルのうち右側のパネルの拡大図である。
【図６】(a) はパネルが可動状態にある時に支持体が床面に接地している状態の側面図、(b) はパネルが固定状態にある時に脚体が床面に接地している状態の側面図である。
【図７】(a) は脚体の拡大詳細側面図、(b) は脚体の拡大詳細縦断面図、(c) は脚体の底面図である。
【図８】両幅木をパネル本体の脚体に係嵌して取り付けた状態の平面図である。
【図９】幅木を半円状のバネ板によって脚体に取り付けている状態を示す底面図であって、取付基板に枢着された水平バーが図４と同様な収納位置にある状態の正面図、(b)は同状態の底面図、(c) は同状態の端面図、(d) は取付基板に枢着された水平バーが図３と同様な転倒防止位置にある状態の正面図、(e) はその底面図、(f) はその端面図である。
【図１０】突っ張り手段を示すもので、(a) は突っ張り板が下降限位置にある状態での正面図、(b) はその側面図、(c) は突っ張り板が上昇した位置での正面図、(b) はその側面図である。
【図１１】(a) は図１０の(a) のＡ−Ａ線断面図、(b) は図１０の(a) のＢ−Ｂ線断面図である。
【図１２】(a) は図１０の(a) の一部拡大図、(b) は側面図、(c) は図１０の(c) の一部拡大図、(d) は側面図である。
【図１３】(a) 〜(c) はパネル本体の正面側下端部に取り付けられる幅木を示す平面図、正面図及び端面図であり、(d) 〜(f) はパネル本体の背面側下端部に取り付けられる幅木を示す平面図、正面図及び端面図である。
【図１４】複数のパネルの端面間にクッション材を介挿した状態の平面図である。
【符号の説明】
【００４０】
１            間仕切りパネル
２            パネル本体
３            脚体
４            第２支持体
５            水平バー
６            パネル転倒防止手段
７            第１支持体
８            突っ張り板
９            突っ張り手段
Ｓ            天井面
１０          幅木
１１          化粧カバー
１５          ロッド
Ｓ            天井面
Ｆ            床面
【図１】
2005299100.tif 000003
【図２】
2005299100.tif 000004
【図３】
2005299100.tif 000005
【図４】
2005299100.tif 000006
【図５】
2005299100.tif 000007
【図６】
2005299100.tif 000008
【図７】
2005299100.tif 000009
【図８】
2005299100.tif 000010
【図９】
2005299100.tif 000011
【図１０】
2005299100.tif 000012
【図１１】
2005299100.tif 000013
【図１２】
2005299100.tif 000014
【図１３】
2005299100.tif 000015
【図１４】
2005299100.tif 000016